(57)【要約】【課題】大型化をもたらさず、可動鉄片の回動動作に悪影響を及ぼすことなく、簡単な構造で調整容易な上、可動鉄片を回動させる際の衝突音の発生を抑制する。【解決手段】ベース上に、鉄心２２にスプール２３を介してコイル２４を巻回し、鉄心２２の一端部に一端部を固定したヨーク４１を鉄心２２の他端側の磁極部２５の側方まで伸長してなる電磁石ブロック２を備える。ヨーク４１にヒンジバネ４４を固定し、ヨーク４１の他端部を支点としてヒンジバネ４４によって支持した状態で回動可能に可動鉄片４を設ける。ヒンジバネ４４は、ヨーク４１への固定位置から可動鉄片４の支持位置とは反対側に延びる弾性当接部４６を備える。可動鉄片４は、支点を挟んで被吸引部６３とは反対側に、ヨーク４１に当接する前に弾性当接部４６に当接可能なカード部材６５を一体化する。【選択図】図９
2012190763.tif 000002
【特許請求の範囲】
【請求項１】
ベース上に、棒状の鉄心の外周側にスプールを介してコイルを巻回し、前記鉄心の一端部に一端部を固定したヨークの他端部を前記鉄心の他端側の磁極部の側方まで伸長してなる電磁石ブロックを、前記鉄心の磁極部がベース側に隙間を有するようにして配置し、前記ヨークにヒンジバネを固定し、前記ヨークの他端部を支点として前記ヒンジバネの弾性支持部によって支持した状態で回動可能に可動鉄片を設け、前記電磁石ブロックを励磁し、前記鉄心の磁極部に前記可動鉄片の被吸引部を吸引して回動させることにより接点開閉部を駆動するようにした電磁継電器であって、
前記ヒンジバネは、前記ヨークへの固定位置から前記弾性支持部とは反対側に延びる弾性当接部を備え、
前記可動鉄片は、前記支点を挟んで前記被吸引部とは反対側に、前記ヨークに当接する前に前記弾性当接部に当接可能なカード部材を一体化したことを特徴とする電磁継電器。
【請求項２】
前記カード部材を一体化した可動鉄片は、ベース上に配置した電磁石ブロックのヨークの高さ寸法以下の領域に配置され、
前記ヒンジバネの弾性当接部は、前記カード部材と前記ヨークとの間に配置したことを特徴とする請求項１に記載の電磁継電器。
【請求項３】
前記カード部材は、前記ヒンジバネの弾性当接部に当接可能な第１突出部を備えたことを特徴とする請求項１又は２に記載の電磁継電器。
【請求項４】
前記カード部材は、前記第１突出部が前記ヒンジバネの弾性当接部に当接した後、前記ヨークに当接する第２突出部を備えたことを特徴とする請求項３に記載の電磁継電器。
【請求項５】
前記ヒンジバネは、前記可動鉄片の支持位置に対して前記ヨークへの固定位置とは反対側に被ガイド部を備え、
前記ベースは、前記ヒンジバネの被ガイド部が配置され、前記ヒンジバネの位置ずれを防止する支持凹部を備えたことを特徴とする請求項１から４のいずれか１項に記載の電磁継電器。
【発明の詳細な説明】
【技術分野】
【０００１】
本発明は、電磁継電器に関するものである。
【背景技術】
【０００２】
従来、電磁継電器として、鉄心にスプールを介してコイルを巻回してなる電磁石ブロックを励磁・消磁することにより、鉄心に加締固定したヨークに回動可能に支持した可動鉄片を回動させ、可動接触片を駆動することにより、可動接点を、対向して配置した固定接触片の固定接点に開閉するようにしたものが公知である（例えば、特許文献１参照）。この電磁継電器では、可動鉄片を回動させる際、鉄心やヨークに衝突して衝突音が発生しないように、可動鉄片をヨークに支持させるために設けた支持バネから延長させた動作緩衝バネと、復帰緩衝バネとを設けることにより、前記衝突力を抑えて衝突音を低減させるようにしている。
【０００３】
しかしながら、前記従来の電磁継電器では、支持バネが可動鉄片の上方部分に配置されているため、その分、電磁継電器全体の高さ寸法が大きくなる。また、支持バネの曲げ構造が複雑で、正確に希望する角度に加工するのが難しい。また、動作緩衝バネが接点圧力を抑制するように作用するため、接点の開閉寿命に悪影響を与える。また、動作緩衝バネを略コ字状に形成する必要があるが、この加工を高精度に行うのは困難である。また、動作緩衝バネ及び復帰緩衝バネを手作業で調整しようとしても、可動鉄片の支持部分が移動可能に支持されているため、変形しやすく、調整後に可動鉄片がスムーズに動作しない恐れがある。また、接点バネの構造上、可動鉄片を組み込む作業が困難である。
【先行技術文献】
【特許文献】
【０００４】
【特許文献１】特開２００２−２４５９１７号公報
【発明の概要】
【発明が解決しようとする課題】
【０００５】
本発明は、簡単な構造で、調整容易な上、可動鉄片の回動動作に悪影響を及ぼしたりすることなく、可動鉄片を回動させる際の衝突音の発生を抑制することのできるヒンジバネを備えた電磁継電器を提供することを課題とする。
【課題を解決するための手段】
【０００６】
本発明は、前記課題を解決するための手段として、
ベース上に、棒状の鉄心の外周側にスプールを介してコイルを巻回し、前記鉄心の一端部に一端部を固定したヨークの他端部を前記鉄心の他端側の磁極部の側方まで伸長してなる電磁石ブロックを、前記鉄心の磁極部がベース側に隙間を有するようにして配置し、前記ヨークにヒンジバネを固定し、前記ヨークの他端部を支点として前記ヒンジバネの弾性支持部によって支持した状態で回動可能に可動鉄片を設け、前記電磁石ブロックを励磁し、前記鉄心の磁極部に前記可動鉄片の被吸引部を吸引して回動させることにより接点開閉部を駆動するようにした電磁継電器であって、
前記ヒンジバネは、前記ヨークへの固定位置から前記弾性支持部とは反対側に延びる弾性当接部を備え、
前記可動鉄片は、前記支点を挟んで前記被吸引部とは反対側に、前記ヨークに当接する前に前記弾性当接部に当接可能なカード部材を一体化したものである。
【０００７】
この構成により、可動鉄片に一体化したカード部材に当接する弾性当接部と、ヨークに可動鉄片を回動可能に支持する弾性支持部とを、ヨークへの固定位置を挟んで反対側に設けることができる。つまり、ヒンジバネを簡単な構成であるにも拘わらず、弾性当接部を変形させるだけで、カード部材との当接位置を調整することができる。可動鉄片を支持する弾性支持部に悪影響を及ぼすことがないため、可動鉄片を装着容易な構成として、初期の設定状態のままでスムーズに回動させることができる。また、可動鉄片の回動時にカード部材に弾性当接部が当接することにより衝突音の発生を抑制することができる。
【０００８】
前記カード部材を一体化した可動鉄片は、ベース上に配置した電磁石ブロックのヨークの高さ寸法以下の領域に配置され、
前記ヒンジバネの弾性当接部は、前記カード部材と前記ヨークとの間に配置するのが好ましい。
【０００９】
この構成により、ヒンジバネが可動鉄片から突出することがなく、全体の構成が大型化することがない。
【００１０】
前記カード部材は、前記弾性当接部に当接可能な第１突出部を備えるのが好ましい。
【００１１】
この構成により、可動鉄片が回動を開始してからカード部材がヒンジバネの弾性当接部に当接するまでの距離を短く設定することができる。つまり、衝突音の発生をより一層効果的に抑制することが可能となる。
【００１２】
前記カード部材は、前記第１突出部が前記ヒンジバネの弾性当接部に当接した後、前記ヨークに当接する第２突出部を備えるのが好ましい。
【００１３】
この構成により、可動鉄片が回動すると、第１突出部がヒンジバネの弾性当接部に当接して弾性変形させ、その後、第２突出部がヨークに当接することにより可動鉄片の回動を停止させる。第２突出部がヨークに当接することにより、可動鉄片を精度よく位置決めすることができる。
【００１４】
前記ヒンジバネは、前記可動鉄片の支持位置に対して前記ヨークへの固定位置とは反対側に被ガイド部を備え、
前記ベースは、前記ヒンジバネの被ガイド部が配置され、前記ヒンジバネの位置ずれを防止する支持凹部を備えるのが好ましい。
【００１５】
この構成により、ヒンジバネを単にヨークに固定するだけではなく、被ガイド部を支持凹部内に配置することで、ベースに対しても位置決めすることができる。したがって、ヒンジバネの取付状態を安定させることができ、可動鉄片の安定した回動動作を保証することが可能となる。
【発明の効果】
【００１６】
本発明によれば、ヒンジバネをヨークへの固定位置を挟んで２方向に延びる弾性支持部と弾性当接部とを備えた構成としたので、弾性支持部による可動鉄片の支持と、弾性当接部による可動鉄片の衝突音の抑制とを、単一部材で独立して行うことができる。つまり、ヒンジバネの構成を簡略化しつつ、弾性当接部での調整作業が弾性支持部による可動鉄片の支持状態に悪影響を及ぼすことなく、可動鉄片の動作を安定させることができる。
【図面の簡単な説明】
【００１７】
【図１】本実施形態に係る電磁継電器の斜視図である。
【図２】図１からケース及びアーク消弧部材を分解した状態を示す斜視図である。
【図３】図１からケースのみを除去した状態を示す斜視図である。
【図４】図１の分解斜視図である。
【図５】図４を反対側から見た状態を示す分解斜視図である。
【図６】（ａ）はベースを上方側から見た状態を示す斜視図、（ｂ）はベースを下方側から見た状態を示す斜視図である。
【図７】図２に示す電磁石ブロック及び可動鉄片の分解斜視図である。
【図８】図２に示す電磁石ブロックと可動鉄片の分解斜視図である。
【図９】図１からケースを除去した状態を示す接点閉成時の断面図である。
【図１０】図１からケースを除去した状態を示す接点開放時の断面図である。
【図１１】図３の接点開閉部の拡大斜視図である。
【図１２】図４の電磁石ブロックによる吸引力曲線と、可動接触片に作用する力の変化を示すグラフである。
【発明を実施するための形態】
【００１８】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物或いはその用途を制限することを意図するものではない。
【００１９】
（１．全体構成）
図１から図５は、本実施形態に係る電磁継電器を示す。この電磁継電器は、大略、ベース１に、電磁石ブロック２、接点開閉部３、及び、可動鉄片４を設け、ケース５を被せたものである。
【００２０】
（１−１．ベース１）
ベース１は、図６に示すように、合成樹脂材料を成形加工することにより平面視矩形状に形成され、長手方向の２箇所には、第１装着部６と第２装着部７が設けられている（以下、長辺に沿って長手方向に延びる方向をＸ軸、短辺に沿って短手方向に延びる方向をＹ軸、高さ方向に延びる方向をＺ軸として説明する）。
【００２１】
第１装着部６は、後述する電磁石ブロック２を装着するためのもので、第１周縁壁８と第２装着部７とで囲まれた凹所９内に支持凹部１０が形成されている。凹所９の底面には、支持凹部１０の（ベース１の短手方向：ＹＹ´方向）両側に、上下面に貫通する一対のコイル端子孔１１がそれぞれ形成されている。支持凹部１０の（ベース１の長手方向）近傍にはガイド部１２が形成されている。ガイド部１２は、短手方向（ＹＹ´方向）に対応して設けた一対のガイド壁１３と、これらを結ぶ絶縁壁１４とで構成されている。ガイド壁１３の対向面には、上下方向に延びるガイド溝１５がそれぞれ形成されている。両ガイド溝１５により、後述するヨーク４１の両側部がガイドされる。また、ガイド壁１３と絶縁壁１４で囲まれた領域の中央部分には、ガイド凹部１６が形成されている。ガイド凹部１６には、後述するヒンジバネ４４の被ガイド部５０が位置する。
【００２２】
第２装着部７は、接点開閉部３を装着するためのもので、前記第１装着部６の第１周縁壁８と同一高さの台座部１７が形成されている。台座部１７には、ＹＹ´方向に延びる、スリット状をした第１端子孔１８が形成されている。第１端子孔１８は、ベース１の底面では両側の２箇所の連通部１９でのみ貫通し、後述する可動接触片５２が圧入されるようになっている。台座部１７の第１装着部側を除く３辺からは第２周縁壁２０が形成されている。第２周縁壁２０のＸ´方向側を構成する部分は肉厚が大きくなり、そこにはＹＹ´方向に延びる、スリット状をした一対の第２端子孔２１がそれぞれ形成されている。各第２端子孔２１には、後述する固定接触片５１がそれぞれ圧入固定されるようになっている。
【００２３】
（１−２．電磁石ブロック２）
電磁石ブロック２は、図７及び図８に示すように、鉄心２２にスプール２３を介してコイル２４を巻回したものである。
【００２４】
鉄心２２は、磁性材料を棒状としたもので、下端部に鍔状の磁極部２５が形成され、上端部にはヨーク４１が加締固定されるようになっている。
【００２５】
スプール２３は、合成樹脂材料を成形加工することにより得られ、中心孔２６を形成する筒状の胴部２７と、その上下両端部に形成される鍔部（上端側鍔部２８及び下端側鍔部２９）とで構成されている。
【００２６】
上端側鍔部２８は、上面に逃がし溝３０が形成され、そこには中心孔２６が開口している。逃がし溝３０には、後述するヨーク４１の一端部が配置される。下端側鍔部２９には中心孔２６が開口し、そこから鉄心２２を挿入可能となっている。
【００２７】
下端側鍔部２９の両側部には端子取付部３１が設けられ、そこには端子保持孔３２がそれぞれ形成されている。各端子保持孔３２には、後述するコイル端子３６が圧入固定される。端子取付部３１の一端両側には段部３３がそれぞれ形成され、端子保持孔３２に圧入固定したコイル端子３６のコイル巻付部３９がそれぞれ突出するようになっている。また、下端側鍔部２９には、胴部２７から側端面に掛けて一方の段部３３へと連通する案内溝３４が形成されている。案内溝３４には、胴部２７に巻回するコイル２４の一端側（巻き始め側）が配置され、段部３３に突出するコイル端子３６のコイル巻付部３９に巻き付けられるようになっている。下端側鍔部２９の底面には所定間隔で一対のガイド突部３５が設けられている。これらガイド突部３５は、ベース１の支持凹部１０内に位置してベース１に対してスプール２３すなわち電磁石ブロック２を位置決めする役割を果たす。
【００２８】
コイル端子３６は、導電性材料を平板状としたもので、下端部は下方に向かうに従って徐々に幅及び厚みが小さくなるように形成されている。コイル端子３６の上端部にはプレス加工により片面から膨出する圧入部３７が形成され、その上方部分は幅広部３８となっている。幅広部３８の一端からはコイル巻付部３９が突出している。
【００２９】
コイル２４は、スプール２３の胴部２７に巻回された後、外周面に絶縁シート４０が貼着されるようになっている。コイル２４の一端部が前記スプール２３の案内溝３４に配置され、スプール２３の胴部２７への巻回後、両端部はそれぞれ各コイル端子３６のコイル巻付部３９に巻き付けられた後、半田付けされる。
【００３０】
前記鉄心２２の一端部にはヨーク４１が加締固定されている。
ヨーク４１は、磁性材料を略Ｌ字形となるように折り曲げたものである。ヨーク４１の一端部には、前記鉄心２２の一端部を挿通して加締固定するための開口部４１ａが形成されている。ヨーク４１の他端部は幅広となって、その下端部両側には突出部４２がそれぞれ形成されている。両突出部４２の間には、後述する可動鉄片４が位置し、一方の角部が可動鉄片４を回動可能に支持する支点として機能している。ヨーク４１の中間部外面には、上下２箇所に加締用の突起４３が形成されている。
【００３１】
前記ヨーク４１の中間部には、前記突起４３を利用してヒンジバネ４４が加締固定されている。但し、ヨーク４１へのヒンジバネ４４の固定方法は、加締に限らず、超音波溶接、抵抗溶接、レーザ溶接等、他の方法で行うようにしてもよい。
【００３２】
ヒンジバネ４４は、ヨーク４１の中間部外面に面接触する接続部４５を備える。接続部４５には、２箇所に貫通孔４５ａが形成され、前記ヨーク４１の突起４３が挿通されて加締られるようになっている。
【００３３】
接続部４５の上方部分は、ヨーク４１の中間部外面から徐々に離れるように所定角度で延びる弾性当接部４６となっている。弾性当接部４６は、後述する可動鉄片４に設けたカード部材６５の押圧受部に弾性接触可能となっている。弾性当接部４６は、可動鉄片４が元の位置に復帰移動する際の衝突音の発生を緩和する。
【００３４】
接続部４５の下方部分は、ヨーク４１の中間部外面から徐々に離れるように所定角度で延びる第１傾斜部４７と、この第１傾斜部４７からヨーク側へと徐々に接近するように所定角度で延びる第２傾斜部４８とからなる弾性支持部４９となっている。弾性支持部４９は、第２傾斜部４８が後述する可動鉄片４に圧接し、可動鉄片４を回動可能に弾性支持する。
【００３５】
弾性支持部４９の下方部分は、弾性支持部４９により可動鉄片４を弾性支持した状態で、鉛直下方に延びる被ガイド部５０となっている。被ガイド部５０は、ベース１の第１装着部６に形成したガイド凹部１６に配置され、ガイド凹部１６にガイドされることによってヒンジバネ４４は位置ずれを防止されている。
【００３６】
（１−３．接点開閉部３）
接点開閉部３は、図４及び図５に示すように、銅等の導電性材料を板状にプレス加工した、固定接触片５１と可動接触片５２とで構成されている。
【００３７】
固定接触片５１は、圧入部５３と、圧入部５３から下方側に延びる端子部５４と、圧入部５３から上方側に延びる接触片部５５とで構成されている。圧入部５３には、プレス加工により片面から膨出する膨出部５６が形成されている。この膨出部５６によりベース１の第２端子孔２１に圧入可能となっている。端子部５４は、圧入部５３よりも幅狭で、片側に位置をずらせて形成されている。接触片部５５は、端子部５４とは反対側に位置をずらせて形成され、圧入部５３のほぼ半分の幅寸法となっている。接触片部５５の上端部には貫通孔が形成され、そこには固定接点５７が加締固定されている。
【００３８】
可動接触片５２は、圧入部５８と、圧入部５８の両側から上方側へとそれぞれ延びる一対の接触片部５９とで構成されている。圧入部５８には、前記固定接触片５１と同様に、上下方向中央部に幅方向に延びる膨出部６０が形成され、ベース１の第１端子孔１８に圧入可能となっている。また、圧入部５８の下縁両端部には下方に突出する一対の突起６１が形成されている。接触片部５９は、圧入部５８の近傍部分で屈曲されて延びており、上端部には貫通孔５９ａが形成され、そこには可動接点６２がそれぞれ加締固定されている。可動接触片５２は、圧入部５８をベース１の第１端子孔１８に圧入された状態で、可動接点６２が第２端子孔２１に圧入された固定接触片５１の固定接点５７に接離可能に対向させる。
【００３９】
（１−４．可動鉄片４）
可動鉄片４は、図７及び図８に示すように、板状の磁性材料をプレス加工により略Ｌ字形に形成したものである。可動鉄片４の一端側は、鉄心２２の磁極部２５に吸引される被吸引部６３である。被吸引部６３の先端部及び基部は幅狭となっており、スプール２３の底面に形成したガイド突部３５と、ヨーク４１の下端部に形成した突出部４２との干渉がそれぞれ回避されている。可動鉄片４の他端側には開口部６４が形成されている。開口部６４にはヒンジバネ４４が挿通し、被吸引部６３の角部に圧接している。可動鉄片４の他端部は幅狭となっており、又、開口部６４の上方側にはカード部材６５が一体化されている。
【００４０】
カード部材６５は、合成樹脂材料からなり、一体化した可動鉄片４の上端側が露出する一方の面には、可動鉄片４の上端部の両側に形成される第１突出部６６と、上方側に形成される第２突出部６７とがそれぞれ形成されている。可動鉄片４の被吸引部６３が鉄心２２の磁極部２５から離間した際、第２突出部６７にヒンジバネ４４の弾性当接部４６が衝突した後、第１突出部６６がヨーク４１に当接するように構成されている。カードの他方の面には、幅方向に所定間隔で上下方向に延びる突条部６８が形成されている。突条部６８の上端部には、さらに突出する押圧部６９が形成され、可動接触片５２の接触片部５５の上端部を押圧可能となっている。カード部材６５の下端部には、他方の面よりも突出し、さらに下方側へと延びる遮蔽壁７０が形成されている。
【００４１】
（１−５．ケース５）
ケース５は、図２に示すように、合成樹脂材料を下面が開口する箱状としたものである。ケース５の上面角部には密閉用孔７１が形成されている。密閉用孔７１は、ベース１とケース５の嵌合部分のシール後に熱封止される。ケース５の上面縁部（密閉用孔７１と反対側）には、両側及び中央部にスリット状の凹部７２がそれぞれ形成されている。各及ぶ７２の間には、上面よりも窪んだ凹所７３が形成されており、その上面中央部には突起７４がそれぞれ形成されている。
【００４２】
前記ケース５には、凹部７２及び凹所７３を利用してアーク消弧部材７５が取り付けられている。
【００４３】
アーク消弧部材７５は、アークを消弧させるために所定間隔で配置した一対の永久磁石７６と、これら永久磁石７６を磁気的に接続するための磁性材料からなる接続部材７７とで構成されている。
【００４４】
永久磁石７６は略直方体形状で、接続部材７７の両対向壁７８の内面に取り付けた状態で、対向面が異なる極性となるように配置される。但し、対向面の極性は、接点間で電流が流れる方向の違いに応じてアーク電流に作用する力の方向が、後述する接続部材７７の中間壁７９側へと向かうように設定すればよい。
【００４５】
接続部材７７は、板状の磁性材料をプレス加工により、両端側が互いに対向するように屈曲したものである。各対向壁７８の内面には永久磁石７６がそれ自身の磁力によって吸着固定されている。接続部材７７の中間壁７９には、両側部がそれぞれ異なる端部側から切り起こされることにより、前記各対向壁７８の間に位置する中間突出部８０がそれぞれ形成されている。各中間突出部８０は、両対向壁７８の中央部に位置し、両接点開閉位置の間に突出することにより磁路を短くする役割を果たしている。すなわち、各永久磁石７６から発生した磁束は、中間突出部８０を介して中間壁７９及び各対向壁７８を通過し、永久磁石７６に戻る磁気回路で閉ループを構成する。
【００４６】
このように、前記アーク消弧部材７５によれば、一対の永久磁石７６だけでなく、これらを磁気的に接続するための接続部材７７を設けるようにしている。このため、磁気回路が形成され、磁束漏れが発生しにくくなる。また、中間突出部８０を設けることにより、磁路を短く設定することができる。したがって、磁気効率を高めることが可能となる。この結果、接点開閉時にアークが発生したとしても、このアークは、フレミング左手の法則によって側方に伸長され、短時間で消弧されることになる。
【００４７】
（２．組立方法）
続いて、前記構成からなる電磁継電器の組立方法について説明する。
【００４８】
スプール２３の胴部２７にコイル２４を巻回し、下端側鍔部２９にコイル端子３６を圧入固定する。コイル２４の両端部は、コイル巻付部３９に巻き付けて半田付けする。また、スプール２３の中心孔２６に、下端側から鉄心２２を挿通し、上端から突出する部分に、予めヒンジバネ４４を取り付けたヨーク４１を加締固定する。これにより、電磁石ブロック２が完成する。
【００４９】
完成した電磁石ブロック２には、ヒンジバネ４４を利用してヨーク４１の下端部に可動鉄片４を回動可能に支持する。この状態では、可動鉄片４に一体化したカード部材６５の第１突出部６６がヨーク４１に当接可能となり、又、ヒンジバネ４４の弾性当接部４６がカード部材６５の第２突出部６７に接離可能となる。そして、可動鉄片４を取り付けた電磁石ブロック２と、接点開閉部３とをベース１に装着する。
【００５０】
電磁石ブロック２の装着では、コイル端子３６をベース１のコイル端子孔１１に圧入し、ヨーク４１の両側部をガイド壁１３のガイド溝１５に挿入する。装着状態では、ガイド突部３５が支持凹部１０内に位置し、電磁石ブロック２がＹＹ´方向に位置決めされる。また、ヨーク４１の突出部４２の下端面と、端子取付部３１の底面とがそれぞれベース１の凹所９の底面に当接する。これにより、ベース１の凹所９の底面とスプール２３の下端側鍔部２９の底面との間に可動鉄片４が回動可能な隙間が形成される。可動鉄片４に一体化したカード部材６５の遮蔽壁７０がベース１の絶縁壁１４を越えて配置される。このとき、ベース１のガイド壁１３及び絶縁壁１４、カード部材６５の上方部及び遮蔽壁７０によって、電磁石ブロック２と接点開閉部３との間の絶縁性が十分に確保される。
【００５１】
また、接点開閉部３の装着では、可動接触片５２の圧入部５８をベース１の第１端子孔１８に圧入する。可動接触片５２の装着では、突起６１が連通部１９に位置することにより、ベース１の底面から可動接触片５２の装着状態を確認することができるようになっている。また、可動接触片５２の上端部には、先に装着したカード部材６５の押圧部６９が圧接し、可動鉄片４は、可動接触片５２の弾性力によって被吸引部６３が鉄心２２の磁極部２５から離間した初期位置に位置決めされる。
【００５２】
また、固定接触片５１の端子部５４をベース１の第２端子孔２１に挿入し、圧入部５３を圧入して固定する。この状態では、固定接触片５１は可動接触片５２に所定間隔で対向し、固定接点５７に対して可動接点６２が接離可能となる。
【００５３】
また、ケース５にアーク消弧部材７５を取り付ける。アーク消弧部材７５の取付では、接続部材７７の対向壁７８に永久磁石７６を取り付けた状態で、ケース５に形成した各凹部７２に、接続部材７７の対向壁７８及び永久磁石７６と、中間突出部８０とをそれぞれ挿通する。そして、アーク消弧部材７５を取り付けたケース５をベース１に被せ、両者の嵌合部分をシールする。
【００５４】
なお、内部空間は、密閉用孔７１を熱封止することにより密封状態とすればよい。但し、密閉用孔７１は開放したままとし、内部空間を周囲雰囲気と連通した状態で使用することも可能である。
【００５５】
（３．動作）
次に、前記構成からなる電磁継電器の動作について説明する。
【００５６】
コイル２４に通電しておらず、電磁石ブロック２が消磁している状態では、可動鉄片４が可動接触片５２の弾性力によってヨーク４１によって支持された支点を中心として被吸引部６３を鉄心２２の磁極部２５から離間する初期位置に位置する。したがって、可動接点６２は固定接点５７から離間した開放状態を維持する。
【００５７】
コイル２４に通電し、電磁石ブロック２を励磁すると、図９に示すように、可動鉄片４は鉄心２２の磁極部２５に被吸引部６３を吸引され、可動接触片５２の付勢力に抗して回動する。これにより、可動接触片５２が弾性変形し、可動接点６２を固定接触片５１の固定接点５７に閉成する。
【００５８】
コイル２４への通電を遮断し、電磁石ブロック２を消磁すると、可動鉄片４は鉄心２２の吸引力を失って可動接触片５２の弾性力により回動する。このとき、まず、可動鉄片４のカード部材６５に形成した第２突出部６７がヒンジバネ４４の弾性当接部４６に衝突する。第２突出部６７は合成樹脂製であり、弾性当接部４６は弾性変形する。しかも、可動鉄片４が回動を開始してから早期に第２突出部６７と弾性当接部４６の当接状態が得られる。したがって、衝突音は殆ど発生することがない。そして、可動鉄片４がさらに回動することにより弾性当接部４６を弾性変形させながら、合成樹脂製の第１突出部６６がヨーク４１の中間部に当接する。このため、可動鉄片４の回動速度が低減され、ここでも衝突音の発生は十分に抑制される。このように、可動鉄片４は衝突音を発生させることなくスムーズに初期位置に復帰し、可動接点６２は固定接点５７から離間して開放位置に位置する。
【００５９】
ところで、接点を開放する際、接点間にアークが発生することがある。この場合、接点開閉領域の周囲にはアーク消弧部材７５が配置されているため、発生したアークは迅速に消弧される。
【００６０】
すなわち、各永久磁石７６のＮ極から発生した磁束は、接続部材７７の中間突出部８０を介して中間壁７９を通り、対向壁７８から前記各永久磁石７６のＳ極に戻る磁気回路をそれぞれ流れる。各磁気回路は閉ループを構成し、周囲への磁束漏れが殆どない。そして、中間突出部８０の存在により接点開閉位置、つまり接点間に発生したアークに対して効果的に磁力を作用させることができる。この結果、フレミング左手の法則により、発生したアークには、接点開放方向とは直交する方向に力が作用し、このアークは大きく引き延ばされるので、急速に消弧されることになる。
【００６１】
ここでは、可動接触片５２で、両固定接触片５１間を開閉するように構成したため、接点開放時のアーク電流が図１１に示す向きに流れるので、アークを接続部材７７の中間壁側へと変形させることができる磁束方向が得られるように永久磁石７６の磁極を対向面で異極となるように設定している。つまり、アークを接続部材７７の中間壁側へと変形させることで、アークの消弧をより確実なものとしている。したがって、接点開閉部３の構成が相違すれば、その違いに応じて永久磁石７６の磁極を設定すればよい。
【００６２】
また、前記電磁石ブロック２の動作電圧は次のようにして調整することができる。
すなわち、ヒンジバネ４４の弾性当接部４６の傾斜角度を変更することにより、電磁石ブロック２の動作電圧を抑えることが可能となる。詳しくは、ヨーク４１に対する弾性当接部４６の傾斜角度を大きくすると、図１２のグラフに示すように、鉄心２２の磁極部２５から発生させた磁界により可動鉄片４の被吸引部６３に作用する力の変化（吸引力曲線）に対して、動作点の位置を変更することができる。つまり、弾性当接部４６の傾斜角度を大きくすることにより、接点が開放してから第１突出部６６に弾性当接部４６が当接するまでに必要となる力を抑えることができる。この結果、吸引力曲線が、図示されるものよりも小さい位置で変化するように、電磁石ブロック２の動作電圧を抑制することが可能となる。
【００６３】
（４．他の実施形態）
なお、本発明は、前記実施形態に記載された構成に限定されるものではなく、種々の変更が可能である。
【００６４】
例えば、前記実施形態では、可動接触片５２を、圧入部３７から延びる一対の接触片で構成するようにしたが、２部材（２つの可動接触片５２）で構成してもよい。また、固定接触片５１を２部材で構成したが、前記可動接触片５２と同様に連続した一体構成としてもよい。
【００６５】
また、可動接触片５２と固定接触片５１の組み合わせは、一組の組み合わせでもよいし、３組以上であってもよい。
【符号の説明】
【００６６】
１…ベース
２…電磁石ブロック
３…接点開閉部
４…可動鉄片
５…ケース
６…第１装着部
７…第２装着部
８…第１周縁壁
９…凹所
１０…支持凹部
１１…コイル端子孔
１２…ガイド部
１３…ガイド壁
１４…絶縁壁
１５…ガイド溝
１６…ガイド凹部
１７…台座部
１８…第１端子孔
１９…連通部
２０…第２周縁壁
２１…第２端子孔
２２…鉄心
２３…スプール
２４…コイル
２５…磁極部
２６…中心孔
２７…胴部
２８…上端側鍔部
２９…下端側鍔部
３０…逃がし溝
３１…端子取付部
３２…端子保持孔
３３…段部
３４…案内溝
３５…ガイド突部
３６…コイル端子
３７…圧入部
３８…幅広部
３９…コイル巻付部
４０…絶縁シート
４１…ヨーク
４２…突出部
４３…突起
４４…ヒンジバネ
４５…接続部
４６…弾性当接部
４７…第１傾斜部
４８…第２傾斜部
４９…弾性支持部
５０…被ガイド部
５１…固定接触片
５２…可動接触片
５３…圧入部
５４…端子部
５５…接触片部
５６…膨出部
５７…固定接点
５８…圧入部
５９…接触片部
６０…膨出部
６１…突起
６２…可動接点
６３…被吸引部
６４…開口部
６５…カード部材
６６…第１突出部
６７…第２突出部
６８…突条部
６９…押圧部
７０…遮蔽壁
７１…密閉用孔
７２…スリット
７３…凹所
７４…突起
７５…アーク消弧部材
７６…永久磁石
７７…接続部材
７８…対向壁
７９…中間壁
８０…中間突出部
【図１】
2012190763.tif 000003
【図２】
2012190763.tif 000004
【図３】
2012190763.tif 000005
【図４】
2012190763.tif 000006
【図５】
2012190763.tif 000007
【図６】
2012190763.tif 000008
【図７】
2012190763.tif 000009
【図８】
2012190763.tif 000010
【図９】
2012190763.tif 000011
【図１０】
2012190763.tif 000012
【図１１】
2012190763.tif 000013
【図１２】
2012190763.tif 000014
【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
ベース上に、棒状の鉄心の外周側にスプールを介してコイルを巻回し、前記鉄心の一端部に一端部を固定したヨークの他端部を前記鉄心の他端側の磁極部の側方まで伸長してなる電磁石ブロックを、前記鉄心の磁極部がベース側に隙間を有するようにして配置し、前記ヨークにヒンジバネを固定し、前記ヨークの他端部を支点として前記ヒンジバネの弾性支持部によって支持した状態で回動可能に可動鉄片を設け、前記電磁石ブロックを励磁し、前記鉄心の磁極部に前記可動鉄片の被吸引部を吸引して回動させることにより接点開閉部を駆動するようにした電磁継電器であって、
前記ヒンジバネは、前記ヨークへの固定位置から前記弾性支持部とは反対側に延びる弾性当接部を備え、
前記可動鉄片は、前記支点を挟んで前記被吸引部とは反対側に、前記ヨークに当接する前に前記弾性当接部に当接可能なカード部材を一体化したことを特徴とする電磁継電器。
【請求項２】
前記カード部材を一体化した可動鉄片は、ベース上に配置した電磁石ブロックのヨークの高さ寸法以下の領域に配置され、
前記ヒンジバネの弾性当接部は、前記カード部材と前記ヨークとの間に配置したことを特徴とする請求項１に記載の電磁継電器。
【請求項３】
前記カード部材は、前記ヒンジバネの弾性当接部に当接可能な突出部を備えたことを特徴とする請求項１又は２に記載の電磁継電器。
【請求項４】
前記カード部材は、前記突出部が前記ヒンジバネの弾性当接部に当接した後、前記ヨークに当接する他の突出部を備えたことを特徴とする請求項３に記載の電磁継電器。
【請求項５】
前記ヒンジバネは、前記可動鉄片の支持位置に対して前記ヨークへの固定位置とは反対側に被ガイド部を備え、
前記ベースは、前記ヒンジバネの被ガイド部が配置され、前記ヒンジバネの位置ずれを防止する支持凹部を備えたことを特徴とする請求項１から４のいずれか１項に記載の電磁継電器。
【手続補正２】
【補正対象書類名】明細書
【補正対象項目名】００１０
【補正方法】変更
【補正の内容】
【００１０】
前記カード部材は、前記弾性当接部に当接可能な突出部を備えるのが好ましい。
【手続補正３】
【補正対象書類名】明細書
【補正対象項目名】００１２
【補正方法】変更
【補正の内容】
【００１２】
前記カード部材は、前記突出部が前記ヒンジバネの弾性当接部に当接した後、前記ヨークに当接する他の突出部を備えるのが好ましい。
【手続補正４】
【補正対象書類名】明細書
【補正対象項目名】００１３
【補正方法】変更
【補正の内容】
【００１３】
この構成により、可動鉄片が回動すると、突出部がヒンジバネの弾性当接部に当接して弾性変形させ、その後、他の突出部がヨークに当接することにより可動鉄片の回動を停止させる。他の突出部がヨークに当接することにより、可動鉄片を精度よく位置決めすることができる。
【手続補正書】
【提出日】平成23年9月29日(2011.9.29)
【手続補正１】
【補正対象書類名】特許請求の範囲
【補正対象項目名】全文
【補正方法】変更
【補正の内容】
【特許請求の範囲】
【請求項１】
ベース上に、棒状の鉄心の外周側にスプールを介してコイルを巻回し、前記鉄心の一端部に一端部を固定したヨークの他端部を前記鉄心の他端側の磁極部の側方まで伸長してなる電磁石ブロックを、前記鉄心の磁極部がベース側に隙間を有するようにして配置し、前記ヨークにヒンジバネを固定し、前記ヨークの他端部を支点として前記ヒンジバネの弾性支持部によって支持した状態で回動可能に可動鉄片を設け、前記電磁石ブロックを励磁し、前記鉄心の磁極部に前記可動鉄片の被吸引部を吸引して回動させることにより接点開閉部を駆動するようにした電磁継電器であって、
前記ヒンジバネは、前記ヨークへの固定位置から前記弾性支持部とは反対側に延びる弾性当接部を備え、
前記可動鉄片は、前記支点を挟んで前記被吸引部とは反対側に、前記ヨークに当接する前に前記弾性当接部に当接可能なカード部材を一体化し、
前記カード部材は、前記ヒンジバネの弾性当接部に当接可能な突出部と、前記突出部が前記ヒンジバネの弾性当接部に当接した後、前記ヨークに当接する他の突出部と、を備えたことを特徴とする電磁継電器。
【請求項２】
前記カード部材を一体化した可動鉄片は、ベース上に配置した電磁石ブロックのヨークの高さ寸法以下の領域に配置され、
前記ヒンジバネの弾性当接部は、前記カード部材と前記ヨークとの間に配置したことを特徴とする請求項１に記載の電磁継電器。
【請求項３】
前記ヒンジバネは、前記可動鉄片の支持位置に対して前記ヨークへの固定位置とは反対側に被ガイド部を備え、
前記ベースは、前記ヒンジバネの被ガイド部が配置され、前記ヒンジバネの位置ずれを防止する支持凹部を備えたことを特徴とする請求項１又は２に記載の電磁継電器。
【手続補正２】
【補正対象書類名】明細書
【補正対象項目名】０００６
【補正方法】変更
【補正の内容】
【０００６】
本発明は、前記課題を解決するための手段として、
ベース上に、棒状の鉄心の外周側にスプールを介してコイルを巻回し、前記鉄心の一端部に一端部を固定したヨークの他端部を前記鉄心の他端側の磁極部の側方まで伸長してなる電磁石ブロックを、前記鉄心の磁極部がベース側に隙間を有するようにして配置し、前記ヨークにヒンジバネを固定し、前記ヨークの他端部を支点として前記ヒンジバネの弾性支持部によって支持した状態で回動可能に可動鉄片を設け、前記電磁石ブロックを励磁し、前記鉄心の磁極部に前記可動鉄片の被吸引部を吸引して回動させることにより接点開閉部を駆動するようにした電磁継電器であって、
前記ヒンジバネは、前記ヨークへの固定位置から前記弾性支持部とは反対側に延びる弾性当接部を備え、
前記可動鉄片は、前記支点を挟んで前記被吸引部とは反対側に、前記ヨークに当接する前に前記弾性当接部に当接可能なカード部材を一体化し、
前記カード部材は、前記ヒンジバネの弾性当接部に当接可能な突出部と、前記突出部が前記ヒンジバネの弾性当接部に当接した後、前記ヨークに当接する他の突出部と、を備えたものである。
【手続補正３】
【補正対象書類名】明細書
【補正対象項目名】０００７
【補正方法】変更
【補正の内容】
【０００７】
この構成により、可動鉄片に一体化したカード部材に当接する弾性当接部と、ヨークに可動鉄片を回動可能に支持する弾性支持部とを、ヨークへの固定位置を挟んで反対側に設けることができる。つまり、ヒンジバネを簡単な構成であるにも拘わらず、弾性当接部を変形させるだけで、カード部材との当接位置を調整することができる。可動鉄片を支持する弾性支持部に悪影響を及ぼすことがないため、可動鉄片を装着容易な構成として、初期の設定状態のままでスムーズに回動させることができる。また、可動鉄片の回動時にカード部材に弾性当接部が当接することにより衝突音の発生を抑制することができる。しかも、カード部材に突出部を設けることにより、可動鉄片が回動を開始してからカード部材がヒンジバネの弾性当接部に当接するまでの距離を短く設定することができる。つまり、衝突音の発生をより一層効果的に抑制することが可能となる。その上、可動鉄片が回動すると、突出部がヒンジバネの弾性当接部に当接して弾性変形させ、その後、他の突出部がヨークに当接することにより可動鉄片の回動を停止させる。他の突出部がヨークに当接することにより、可動鉄片を精度よく位置決めすることができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】